(57)【要約】【課題】容器の加圧試験機において、必要な人手を少なくし、容器を安定的に保持し、容器に付与する荷重も安定化し、簡易かつ安定した圧縮変形試験を行なうこと。【解決手段】容器の加圧試験機１０であって、容器サイズに応じて変位する容器支持部（台座２５等）を設けた容器保持手段２０と、容器保持手段２０に保持された容器１に対し接離し、該容器１に荷重を付与し得るように支持された圧縮手段４０と、容器１に充填した液体が圧縮手段４０による荷重の付与にって該容器１から排出される量に基づき、容器１の圧縮変形量を検出する検出具５１を設けた変形検出手段５０とを有してなるもの。【選択図】　図１
2004106237.tif 000002
【特許請求の範囲】
【請求項１】
容器サイズに応じて変位する容器支持部を架台に設けた容器保持手段と、
容器保持手段に保持された容器に対し接離し、該容器に荷重を付与し得るように架台に支持された圧縮手段と、
容器に充填した液体が圧縮手段による荷重の付与によって該容器から排出される量に基づき、容器の圧縮変形量を検出する検出具を架台に設けた変形検出手段とを有してなる容器の加圧試験機。
【請求項２】
前記容器保持手段として容器を支持する台座を有するとともに、前記圧縮手段が容器に当接する押圧子を備え、押圧子と台座の中心を合致させ得るように押圧子と台座を移動可能にした請求項１に記載の容器の加圧試験機。
【請求項３】
前記変形検出手段の検出具が、容器の口部に封着した栓体に設けた継手に着脱可能にされる水位計である請求項１又は２に記載の容器の加圧試験機。
【発明の詳細な説明】
【０００１】
【発明の属する技術分野】
本発明はプラスチック製ボトル等の容器の加圧試験機に関する。
【０００２】
【従来の技術】
容器の加圧試験は、容器に水を充填し、容器の口部に封着した栓体にＬ字状水位管を連結する。この容器を直径２５ｍｍのゴム製台座の上に載せ、水位管の水位Ｈ０を読む。次に、容器の通常押圧する部分又は柔軟な部分に荷重付与手段を当接させ、荷重付与手段の直径１２．５ｍｍの圧縮面で１重量ｋｇの荷重を加えて容器を圧縮し、水位管の水位Ｈを読む。荷重付与手段の当接により容器から排出された水の量に相当する、Ｈ−Ｈ０から容器の圧縮変形量を検出する。
【０００３】
尚、特許文献１には、容器の加圧ガスリーク検査装置が開示されている。
【０００４】
【特許文献１】
特開平９−１６４４号公報（２頁、第１図）
【０００５】
【発明が解決しようとする課題】
▲１▼容器を直径２５ｍｍのゴム製台座の上に載せ、人手により保持するものであり、容器の保持が不安定になり、水位の測定に時間がかかるし、測定値も不安定である。
【０００６】
▲２▼容器に荷重を付与するのに、人手により荷重付与手段を支持しており、荷重を一定に保つことが困難であり、水位の測定値が不安定になる。
【０００７】
▲３▼Ｌ字状の水位管を、容器の口部に設けた栓体に直結して差し込んでおり、容器に水位管を差し込む際には容器を縦置きし、容器をゴム製台座の上に載せる際には容器を横置きする必要があり、この間、水位管を動かす必要がある。このため、水位管が振り回しの過程で他と衝突し破損する虞がある。
【０００８】
▲４▼容器を保持する作業、荷重付与手段を支持する作業、水位管の水位を読む作業のそれぞれに専任の人手が必要であり、多くの人手を必要とする。
【０００９】
尚、特許文献１には、容器の加圧ガスリーク検査装置が開示されているが、この加圧ガスリーク検査装置でも、容器保持手段等の機械化に基づく容器の安定保持機構について開示するところが一切ない。
【００１０】
本発明の課題は、容器の加圧試験機において、必要な人手を少なくし、容器を安定的に保持し、容器に付与する荷重も安定化し、簡易かつ安定した圧縮変形試験を行なうことにある。
本発明の他の課題は、容器に対する水位計の着脱を容易にすることにある。
【００１１】
【課題を解決するための手段】
請求項１の発明は、容器サイズに応じて変位する容器支持部を架台に設けた容器保持手段と、容器保持手段に保持された容器に対し接離し、該容器に荷重を付与し得るように架台に支持された圧縮手段と、容器に充填した液体が圧縮手段による荷重の付与によって該容器から排出される量に基づき、容器の圧縮変形量を検出する検出具を架台に設けた変形検出手段とを有してなるものである。
【００１２】
【発明の実施の形態】
容器加圧試験機１０は、図１、図２に示す如く、プラスチック製ボトル等の容器１の圧縮変形度合を試験する。
【００１３】
容器加圧試験機１０は、架台１１に、容器保持手段２０と、圧縮手段４０と、変形検出手段５０とを有する。
【００１４】
容器保持手段２０は、架台１１の中央つなぎ板１２に門型フレーム２１を立設し、門型フレーム２１の左右のガイドロッド２１Ａ、２１Ａに昇降テーブル２２の左右のガイド筒２２Ａ、２２Ａを昇降可能に支持し、門型フレーム２１の天板２１Ｂにテーブル昇降送りねじ２３を支持し、送りねじ２３の操作ダイアル２３Ａを天板２１Ｂの上方に配置し、送りねじ２３のねじ棒２３Ｂを昇降テーブル２２のナット２２Ｂに螺着させている。昇降テーブル２２は左右方向に延在する目盛スケール付スライド溝２４を備え、容器１の胴部下側面を載せて支持するゴム製台座２５（容器支持部）をスライド溝２４の目盛スケールに沿ってスライド可能に支持する。台座２５は例えばφ２５ｍｍの円柱状ゴム体からなる。台座２５は、操作ダイアル２３Ａによる送りねじ２３の回転に伴う昇降テーブル２２の昇降によって上下動し、かつスライド溝２４に沿って左右動し、容器１の形状、サイズに応じた適宜の側面を支持可能にする。
【００１５】
容器保持手段２０は、架台１１の左つなぎ板１３に支持ブラケット２６を固定し、支持ブラケット２６の前後方向に延在するスライド溝２７に容器１のための首支え板２８（容器支持部）をスライド可能に支持する。首支え板２８はつまみ２８Ａを備えるとともに、容器１の首部を支持するＶ溝２８Ｂを備える。首支え板２８は、容器１の形状、サイズに応じたつまみ２８Ａによる首支え板２８のスライド溝２７に沿う前後動により、台座２５に載置された容器１の首部を支持可能にする。
【００１６】
容器保持手段２０は、架台１１の右つなぎ板１４に支持ブラケット３１を固定し、支持ブラケット２６と支持ブラケット３１に架け渡されるスライドガイド３２の両端部をそれらのブラケット２６、３１に回動可能に支持し、スライドガイド３２のブラケット３１から突出する端部に揺動レバー３３を固定して備える。スライドガイド３２には、底支え板３４（容器支持部）をスライド可能に支持する。底支え板３４は、該底支え板３４をスライドガイド３２の適宜位置に固定化する止ねじ３４Ａを備える。底支え板３４は、揺動レバー３３によるスライドガイド３２の回動とともに回動し、台座２５に対する容器１のセット領域に容器１を導入するための横転位置と、台座２５上にセットされた容器１の底部を側方から支持する起立位置とに切換設定可能とされる。また、底支え板３４は、起立位置で容器１の形状、サイズに応じて、スライドガイド３２に沿って左右動し、首支え板２８のＶ溝２８Ｂに支持された容器１の底部を支持可能とする。
【００１７】
容器保持手段２０は、架台１１の中央つまみ板１２の下部に前後送りねじ３５を支持し、送りねじ３５の操作ダイアル３５Ａを架台１１の前面に配置し、送りねじ３５の左ねじ部（不図示）と右ねじ部（不図示）のそれぞれに、正面支え板３６（容器支持部）と背面支え板３７（容器支持部）を螺合させている。正面支え板３６は台座２５の前方側で中央つまみ板１２のスライド溝３８に挿通し、背面支え板３７は台座２５の後方側で中央つまみ板１２のスライド溝（不図示）及び昇降テーブル２２のスライド溝３９に挿通している。正面支え板３６と背面支え板３７は、容器１の形状、サイズに応じて、操作ダイアル３５Ａによる送りねじ３５の回転に伴って対向移動し、首支え板２８のＶ溝２８Ｂに支持された容器１の胴部正背面を両者間に挟み支持する。尚、正面支え板３６は容器１のセット領域に容器１を導入するために適宜、取り外すことができる。
【００１８】
圧縮手段４０は、門型フレーム２１のガイドロッド２１Ａ、２１Ａに重り板４１の左右のガイド筒４１Ａ、４１Ａを昇降可能に支持し、門型フレーム２１の天板２１Ｂに設けた重り昇降装置４２により重り板４１を下方から支持し、重り板４１の押圧子４１Ａを容器１の上側面に対し接離可能にする。重り板４１は左右方向に延在する目盛スケール付スライド溝４３を備え、容器保持手段２０に保持された容器１の胴部上側面に接離する押圧子４１Ａをスライド溝４３の目盛スケールに沿ってスライド可能に支持する。押圧子４１Ａは例えばφ１２．５ｍｍの円柱状ゴム体からなる。重り昇降装置４２は、ガイドロッド２１Ａに沿う重り板４１の最下支持位置を変更調整可能にし、その最下支持位置から上方への重り板４１の相対的移動を自由にする。従って、重り昇降装置４２の下降動作により重り板４１を下降させ、重り板４１に設けてある押圧子４１Ａが容器１の上側面に当接してからも尚重り昇降装置４２を下降動作させれば、重り板４１の荷重が押圧子４１Ａから容器１の上側面に預けられる如くに付与される。尚、４４は門型フレーム２１のガイドロッド２１Ａに固定した重り板４１のための下降限ストッパである。このとき、押圧子４１Ａの中心位置（スライド溝４３の目盛スケールにより検出できる）が台座２５の中心位置（スライド溝２４の目盛スケールにより検出できる）に合致するように、押圧子４１Ａを重り板４１のスライド溝４３に沿って左右動可能にする。
【００１９】
変形検出手段５０は、容器１に充填した水が、該容器１に対する重り板４１の押圧子４１Ａの当接により該容器１が圧縮変形することにより、該容器１から排出される量に基づき、容器１の圧縮変形量を検出する検出具５１としての水位計５２を架台１１に立設して備える。このとき、容器１の口部にはゴム製栓体５３が封着されるとともに、栓体５３に継手５４を備える。継手５４は操作者のワンタッチ操作で開閉されるワンタッチ継手からなる。これにより、水位計５２のガラス管は容器１の側の継手５４に簡易迅速に着脱される。
【００２０】
容器加圧試験機１０による加圧試験手順は以下の如くになる。
（１）容器１に水を満たし、容器１の口部に栓体５３を封着する。
【００２１】
（２）容器保持手段２０の容器支持部としての台座２５、首支え板２８、底支え板３４、正面支え板３６、背面支え板３７により容器１を保持する。台座２５は容器１の下側面の通常押圧する部分又は柔軟な部分として予め定められている部分に位置付ける。
【００２２】
（３）変形検出手段５０の水位計５２を容器１の栓体５３に備えてある継手５４に結合し、継手５４を導通状態にする。水位計５２の水位Ｈ０を読む。
【００２３】
（４）圧縮手段４０の重り板４１の押圧子４１Ａを容器１の上側面に当接し、重り板４１の荷重を容器１に付与する。押圧子４１Ａの中心位置を台座２５の中心位置に合致させる。水位計５２の水位Ｈを読む。
（５）Ｈ−Ｈ０を、容器１の圧縮変形量相当値とする。
【００２４】
本実施形態によれば以下の作用がある。
（請求項１に対応する作用）
▲１▼容器保持手段２０を備えたから、容器１を人手によることなく安定的に保持できる。容器保持手段２０の容器支持部としての台座２５、首支え板２８、底支え板３４、正面支え板３６、背面支え板３７は容器サイズに応じて変位し、各種サイズの容器１を安定的に保持する。従って、容器１の圧縮変形量を検出ための、水位の測定を迅速に実現できるし、水位の測定値も安定化する。また、容器保持手段２０により各種形状、サイズの容器１、例えば丸型状の容器１、扁平形状の容器１、胴体と首部の中心がずれている容器１等に広く対応できる。
【００２５】
▲２▼圧縮手段４０が重り板４１を容器１に対して接離可能に支持する。従って、人手によることなく、容器１に対し一定の荷重を安定的に付与でき、水位の測定値も安定化する。
【００２６】
▲３▼容器１を保持する作業と、重り板４１を支持する作業を人手によることなく安定化でき、加圧試験の作業性を向上できる。
【００２７】
（請求項２に対応する作用）
▲４▼容器保持手段２０の台座２５の中心と、圧縮手段４０の押圧子４１Ａの中心を合致させ得るように、押圧子４１Ａと台座２５を移動可能にしたから、容器１の圧縮変形量の検出精度を高精度化できる。
【００２８】
（請求項３に対応する作用）
▲５▼変形検出手段５０の水位計５２を、容器１の口部に封着した栓体５３に設けた継手５４に着脱可能にした。従って、容器１を横置きした状態で水漏れを生ずることなく、水位計５２を連結でき、水位計５２を動かす必要がなく、水位計５２を構成するガラス管の破損を回避できる。
【００２９】
圧縮手段は、重り板等の重りの荷重を容器に預けるものに限らず、架台に昇降動させるように設けた荷重計の押圧子を容器に対し押圧可能に接触させるものでも良い。
【００３０】
変形検出手段の検出具は、水位計に限らず、電気的圧力検出器によるものでも良い。
【００３１】
【発明の効果】
本発明によれば、容器の加圧試験機において、必要な人手を少なくし、容器を安定的に保持し、容器に付与する荷重も安定化し、簡易かつ安定した圧縮変形試験を行なうことができる。また、本発明によれば、容器に対する水位計の着脱を容易にすることができる。
【図面の簡単な説明】
【図１】図１は容器加圧試験機を示す斜視図である。
【図２】図２は容器加圧試験機を示す模式正面図である。
【符号の説明】
１　容器
１０　加圧試験機
１１　架台
２０　容器保持手段
２５　台座（容器支持部）
２８　首支え板（容器支持部）
３４　底支え板（容器支持部）
３６　正面支え板（容器支持部）
３７　背面支え板（容器支持部）
４０　圧縮手段
４１　重り板
４１Ａ　押圧子
５０　変形検出手段
５１　検出具
５２　水位計
５３　栓体
５４　継手
【図１】
2004106237.tif 000003
【図２】
2004106237.tif 000004